(57)【要約】【課題】構造強度が高く、物品が揺動したり落下したりすることを防ぐパレット構造を提供する。【解決手段】パレット構造は、パレット本体１０を含む。パレット本体１０の四隅の底部には、脚柱１１が設けられる。脚柱１１は、中空状を呈してパレット本体１０の上面に挿入開口部１１１が形成される。パレット本体１０の互いに隣り合う２つの側辺には、複数の組立バンプ１２が設けられ、パレット本体１０の残りの互いに隣り合う２つの側辺には、複数の組立凹溝１３が形成される。パレット本体１０には、側辺を介して穿設された複数の縦横方向で交差された縦方向貫通溝１４及び横方向貫通溝１５が形成され、縦方向貫通溝１４には縦方向補強杆１６が挿設され、横方向貫通溝１５には横方向補強杆１７が挿設され、パレット本体１０の表面には、各隅部の挿入開口部１１１から中央部へ向かって複数の挿着孔１８が順次形成される。【選択図】図２
0003204887.tif 000002
【実用新案登録請求の範囲】
【請求項１】
パレット本体を含むパレット構造であって、
前記パレット本体の四隅の底部には、脚柱が設けられ、
前記脚柱は、中空状を呈して前記パレット本体の上面に挿入開口部が形成され、前記パレット本体の互いに隣り合う２つの側辺には、複数の組立バンプが設けられ、前記パレット本体の残りの互いに隣り合う２つの側辺には、複数の組立凹溝が形成され、前記パレット本体には、側辺を介して穿設された複数の縦横方向で交差された縦方向貫通溝及び横方向貫通溝が形成され、前記縦方向貫通溝には縦方向補強杆が挿設され、前記横方向貫通溝には横方向補強杆が挿設され、前記パレット本体の表面には、各隅部の前記挿入開口部から中央部へ向かって複数の挿着孔が順次形成されることを特徴とするパレット構造。
【請求項２】
前記横方向補強杆には、前記横方向補強杆と交差するように前記縦方向補強杆が挿設される貫通孔が形成されていることを特徴とする請求項１に記載のパレット構造。
【請求項３】
前記パレット本体の上面には、前記縦方向貫通溝及び前記横方向貫通溝と連通する複数の中空状穿孔が形成されていることを特徴とする請求項１又は２に記載のパレット構造。
【請求項４】
前記組立凹溝の上端は、閉止されて当接部が成形され、前記組立バンプが制限されることを特徴とする請求項１に記載のパレット構造。
【請求項５】
前記挿着孔には、４つの位置規制接続ロッドが挿設され、
前記４つの位置規制接続ロッドにより制限空間が画成されることを特徴とする請求項１に記載のパレット構造。
【考案の詳細な説明】
【技術分野】
【０００１】
本考案は、パレット構造に関するものであり、さらに詳しくは、互いに衝接して組み合わせるパレット構造に関するものである。
【背景技術】
【０００２】
一般に貨物を搬送する際、補助用具としてパレットがよく用いられる。従来のパレットの大部分は、複数の木材又は木板からなり、互いに釘止めしてプラットフォームのようなベースに成形され、その頂部は貨物を載置する載置面として用いられる。その載置面の下方には、載置面を高める脚部を有し、載置面上の貨物を地面から遠く離して載置する構造をとっている。貨物の載置位置が低く、地面近くにあると湿気を受けるか、地面上の汚染物により汚損される虞があったためである。従来、市販されているパレットの大部分は、木製パレット、紙製パレット、プラスチック製パレット又は鉄合金製パレットに大別されるが、上述したパレットを互いに当接させて大きめの収容空間を形成する場合でも、各パレット間の構造強度を高めることはできなかった。これら複数のパレットは、物品を載置するプラットフォームが水平状であり、位置決め構造が足りず、パレット上で物品が揺動して位置がずれる虞がある上、実際の強度が不足し、構造の安定性が低くなる虞があった。
【考案の概要】
【考案が解決しようとする課題】
【０００３】
従って、本考案の主な課題は、構造強度が高度であると共に、物品の搖動又は落下防止可能なパレット構造を提供することにある。
【課題を解決するための手段】
【０００４】
そこで、本考案者は、前記本考案の課題を解決するため鋭意検討を重ねたところ、後記の通りのパレット構造により、前記課題を解決できることに着目し、かかる知見に基いて本考案に想到するに至った。
すなわち、上記課題を解決するために、本考案の第１の形態によれば、パレット本体を含むパレット構造であって、前記パレット本体の四隅の底部には、脚柱が設けられ、前記脚柱は、中空状を呈して前記パレット本体の上面に挿入開口部が形成され、前記パレット本体の互いに隣り合う２つの側辺には、複数の組立バンプが設けられ、前記パレット本体の残りの互いに隣り合う２つの側辺には、複数の組立凹溝が形成され、前記パレット本体には、側辺を介して穿設された複数の縦横方向で交差された縦方向貫通溝及び横方向貫通溝が形成され、前記縦方向貫通溝には縦方向補強杆が挿設され、前記横方向貫通溝には横方向補強杆が挿設され、前記パレット本体の表面には、各隅部の前記挿入開口部から中央部へ向かって複数の挿着孔が順次形成されることを特徴とするパレット構造が提供される。
かくして、本考案の要旨は次の通りである。
【０００５】
（１）パレット本体を含むパレット構造であって、
前記パレット本体の四隅の底部には、脚柱が設けられ、
前記脚柱は、中空状を呈して前記パレット本体の上面に挿入開口部が形成され、前記パレット本体の互いに隣り合う２つの側辺には、複数の組立バンプが設けられ、前記パレット本体の残りの互いに隣り合う２つの側辺には、複数の組立凹溝が形成され、前記パレット本体には、側辺を介して穿設された複数の縦横方向で交差された縦方向貫通溝及び横方向貫通溝が形成され、前記縦方向貫通溝には縦方向補強杆が挿設され、前記横方向貫通溝には横方向補強杆が挿設され、前記パレット本体の表面には、各隅部の前記挿入開口部から中央部へ向かって複数の挿着孔が順次形成されることを特徴とするパレット構造。
【０００６】
（２）前記横方向補強杆には、前記横方向補強杆と交差するように前記縦方向補強杆が挿設される貫通孔が形成されていることを特徴とする前記（１）に記載のパレット構造。
【０００７】
（３）前記パレット本体の上面には、前記縦方向貫通溝及び前記横方向貫通溝と連通する複数の中空状穿孔が形成されていることを特徴とする前記（１）又は（２）に記載のパレット構造。
【０００８】
（４）前記組立凹溝の上端は、閉止されて当接部が成形され、前記組立バンプが制限されることを特徴とする前記（１）に記載のパレット構造。
【０００９】
（５）前記挿着孔には、４つの位置規制接続ロッドが挿設され、
前記４つの位置規制接続ロッドにより制限空間が画成されることを特徴とする前記（１）に記載のパレット構造。
【考案の効果】
【００１０】
本考案は、前記の通りの構成からなり、後述の如く、パレット本体の縦方向補強杆と横方向補強杆とが交互に交差される構造であるため、パレット本体の構造強度が大幅に向上し、物品を安定的に積層することができるなど、顕著な効果を奏する。
【図面の簡単な説明】
【００１１】
【図１】図１は、本考案の一実施形態に係るパレット構造を示す斜視図である。
【図２】図２は、本考案の一実施形態に係るパレット構造を示す分解斜視図である。
【図３】図３は、本考案の一実施形態に係るパレット構造を示す組立断面図である。
【図４】図４は、本考案の一実施形態に係るパレット構造を実際に使用するときの状態を示す斜視図である。
【図５】図５は、本考案の一実施形態に係るパレット構造を衝接したときの状態を示す斜視図である。
【図６】図６は、本考案の一実施形態に係るパレット構造を衝接したときの状態を示す分解斜視図である。
【図７】図７は、本考案の一実施形態に係るパレット構造を積層して収納するときの状態を示す斜視図である。
【図８】図８は、本考案の一実施形態に係るパレット構造を積層して収納するときの状態を示す断面図である。
【考案を実施するための形態】
【００１２】
まず、図１〜図３を参照する。図１〜図３に示すように、本考案の一実施形態に係るパレット構造は、パレット本体１０を含む。パレット本体１０の四隅の底部には、脚柱１１が設けられる。脚柱１１は、中空状を呈してパレット本体１０の上面に挿入開口部１１１が形成され、パレット本体１０の互いに隣り合う２つの側辺には、複数の組立バンプ１２が設けられ、残りの互いに隣り合う２つの側辺には、複数の組立凹溝１３が形成される。組立凹溝１３の上端は、閉止されて当接部１３１が成形され、組立バンプ１２が制限され、側辺を介してパレット本体１０には、複数の縦横方向で交差された縦方向貫通溝１４及び横方向貫通溝１５が形成される。パレット本体の上面には、縦方向貫通溝１４に連通した複数の中空状穿孔１４１と、横方向貫通溝１５に連通した複数の中空状穿孔１５１とがそれぞれ形成される。中空状穿孔１４１には、縦方向補強杆１６が挿設される。中空状穿孔１５１には、横方向補強杆１７が挿設される。横方向補強杆１７には、横方向補強杆１７と交差するように縦方向補強杆１６が挿設される貫通孔１７１が形成され、パレット本体１０の表面には、各隅部の挿入開口部から順次中央部へ向かって複数の挿着孔１８が形成されている。挿着孔１８には、４つの位置規制接続ロッド１９が挿設される。
【００１３】
図１及び図４を参照する。図１及び図４に基づいて、本考案の構造の組合せ及び実際の使用状態について以下説明する。図１及び図４に示すように、パレット本体１０の上面には、物品が積層され、フォークリフトで容易に搬送することができるように、四隅の底部の脚柱１１によりパレット本体１０を適切な距離で地面から離す。パレット本体１０の横方向貫通溝１５には横方向補強杆１７が挿設され、縦方向貫通溝１４には縦方向補強杆１６が挿設され、縦方向補強杆１６と交差するように横方向補強杆１７を貫通孔１７１に挿設させてパレット本体１０の全体強度を高めると、物品を積層した際の安定性が高まり、物品を積層した後に４つの位置規制接続ロッド１９を物品に大きさに応じて挿着孔１８に挿設して物品の周囲に制限空間１９１を画成すると、物品が４つの位置規制接続ロッド１９により位置決めされ、パレット本体１０上の物品の安定性を高めることができる上、４つの位置規制接続ロッド１９によりパレットの周りを囲み、物品を４つの位置規制接続ロッド１９により強固に結合すると、パレット本体１０上の物品が落下しないように物品の積層状態を維持することができる。
【００１４】
図５及び図６を参照する。図５及び図６に示すように、本考案の他の実施形態に係るパレット構造のパレット本体１０の側辺には、組立バンプ１２及び組立凹溝１３が対応するように形成され、パレット構造を実際に使用する際、組立バンプ１２及び組立凹溝１３を介して複数のパレット本体１０を衝接させると物品の積層空間が高くなり、パレット本体１０に物品を載置すると、その大部分は上面に積層されることはなく、パレット本体１０の周辺に依然として空間が残り、その空間には物品が積層されることはない。パレット本体１０を衝接させ、各パレット本体１０間に大きめの空間が形成されて物品が積層されると、物品の搬送量が増え、貨物の運送にかかるコストが大幅に減り、複数のパレット本体１０を衝接させた後、縦方向貫通溝１４と横方向貫通溝１５とが連通し、長めの縦方向補強杆１６と横方向補強杆１７とが直接、直列接続され、パレット本体１０間の連結強度を高めることができる。
【００１５】
図７及び図８を参照する。図７及び図８に示すように、複数のパレット本体１０を実際に使用する際、パレット本体１０を順次積層すると、各パレット本体１０には、上面の脚柱１１に対応した箇所に挿入開口部１１１が形成され、パレット本体１０を積層するときに、挿入開口部１１１に脚柱１１が挿設され、パレット本体１０の積層高さが低くなるため、容易にパレット本体１０を手で持つことができ、パレット本体１０の積層量を増やすことができるため実用的である。
【００１６】
上述したことから分かるように、本考案のパレット構造は、以下（１）〜（４）の効果を有する。
（１）パレット本体１０の縦方向貫通溝１４には、縦方向補強杆１６が挿設され、横方向貫通溝１５には、横方向補強杆１７が挿設され、縦方向補強杆１６と横方向補強杆１７とが交互に交差されるため、パレット本体１０の構造強度が大幅に高まり、物品を安定的に積層することができる。
（２）パレット本体１０を実際に使用する際、物品の積層範囲内で４つの位置規制接続ロッド１９が挿着孔１８内に順次挿入され、物品の周辺には、４つの位置規制接続ロッド１９により物品を位置規制して位置決めするために制限空間１９１が画成され、パレット本体１０上に物品を積層する状態が維持され、物品が摺動したり滑って落下したりすることを防ぐ。
（３）パレット本体１０の側辺には、複数の組立バンプ１２及び組立凹溝１３を対応させ、組立バンプ１２及び組立凹溝１３を介してパレット本体１０を衝接させ、物品を積層させる数量が多いため運送にかかるコストが大幅に減る上、互いに衝接されるため各パレット本体１０間の連結強度が高まり、実用的である。
（４）複数のパレット本体１０を使用した後、順次積層して収納する際、そのパレット本体１０上面の四隅の挿入開口部１１１に脚柱１１が挿設されるため、パレット本体１０の積層高さが低くなり、容易にパレット本体１０を手で持つことができる上、パレット本体１０の積層量が増えるため実用的である。
【符号の説明】
【００１７】
１０  パレット本体
１１  脚柱
１２  組立バンプ
１３  組立凹溝
１４  縦方向貫通溝
１５  横方向貫通溝
１６  縦方向補強杆
１７  横方向補強杆
１８  挿着孔
１９  位置規制接続ロッド
１１１  挿入開口部
１３１  当接部
１４１  中空状穿孔
１５１  中空状穿孔
１７１  貫通孔
１９１  制限空間
【図１】
0003204887.tif 000003
【図２】
0003204887.tif 000004
【図３】
0003204887.tif 000005
【図４】
0003204887.tif 000006
【図５】
0003204887.tif 000007
【図６】
0003204887.tif 000008
【図７】
0003204887.tif 000009
【図８】
0003204887.tif 000010